(57)【特許請求の範囲】
【請求項１】
内側に収納する筐体から一定間隔をおいてこの筐体の底面側を除き側面の三面と天面との四面を覆うように四面が一体化された日除けカバーであって、
前記天面部は通風孔を有し、
左右側面の少なくとも片面は開口部とこの開口部を覆う開閉可能な扉を有しており、
前記四面が所定の色彩で加工されたことを特徴とする日除けカバー。
【請求項２】
前記日除けカバーは、所定の模様を有することを特徴とする請求項１記載の日除けカバー。
【請求項３】
前記筐体は内装する機器の状態を表示する表示部を外面に有しており、該表示部は前記筐体の開口部を介して保守確認可能であることを特徴とする請求項１または２記載の日除けカバー。
【発明の詳細な説明】
【０００１】
【発明の属する技術分野】
本発明は、日除けカバーに関し、特に屋外に設置する装置を内部に装備する筐体の日除けカバーに関する。
【０００２】
【従来の技術】
図３および図４は、従来の屋外に設置する装置（以下、「屋外装置」という）を内部に装備する（以下、「内装」という）筐体を覆う日除けカバーの取り付け状態を示す。図３は取付状態の正面図、図４は取付状態の左側面図である。図３および図４において、符号１は屋外装置、４は正面日除けカバー、５は天面日除けカバー、６は背面日除けカバー、７は屋外装置１の内部の通信状態を表示する表示器（不図示）を確認するために、屋外装置１の外部に設けられた開閉口部である。
【０００３】
上述の通信機器等の屋外装置１は、太陽の日射による屋外装置１の温度上昇を抑制するために、屋外装置１の外部の正面に正面日除けカバー４を設置し、天面に天面日除けカバー５を設置し、背面に背面日除けカバー６を設置していた。通信機器等の屋外装置１は、通信状態の異常が生じた場合に屋外装置１の通信状態を表示する表示器（不図示）を確認するための開閉用扉７を設けていた。
【０００４】
屋外装置１の外装が有する色調は、通常日射による熱の吸収を防止するために白色系とすることが多い。しかし、屋外装置１を設置する場所が公園等である場合、白色系以外の他の色調、例えば環境に合わせた茶色系等にするように要求されることがある。このような場合、白色系以外の色調を有する屋外装置１の数量は少ない場合が多いため、屋外装置１の外装の色調を変更する場合には、屋外装置１の全体を変更しようとする色調に塗装し直す必要がある。さらに、正面日除けカバー４、天面日除けカバー５および背面日除けカバー６も、屋外装置１に合せて変更しようとする色調に塗装し直すことが必要となる。しかし、塗装のし直しには時間を要するため、環境に合わせた色調の変更を容易には行なえないという問題があった。さらに、屋外装置１が故障した場合に、故障した屋外装置１の色調と同じ色調を有する代品の屋外装置の入手が即時に行なえず、その結果、市場の要求に即時に応じられないという問題があった。
【０００５】
【発明が解決しようとする課題】
上述のように、従来の日除けカバーでは環境に合わせた色調の変更が容易ではなく、さらに屋外装置の故障に即時に対応できないという問題があった。
【０００６】
そこで、本発明の目的は、上記問題を解決するためになされたものであり、屋外装置の外装の色調を環境に合わせて容易に変更できるとともに、屋外装置が故障した場合には、日除けカバーは従来の色調の日除けカバーをそのまま用い、屋外装置を任意の色調の屋外装置と交換することにより、故障時の対応を即時に行なえることができる日除けカバーを提供することにある。
【０００７】
【課題を解決するための手段】
この発明の日除けカバーは、内側に収納する筐体から一定間隔をおいてこの筐体の底面側を除き側面の三面と天面との四面を覆うように四面が一体化された日除けカバーであって、前記天面部は通風孔を有し、左右側面の少なくとも片面は開口部とこの開口部を覆う開閉可能な扉を有しており、前記四面が所定の色彩で加工されたものである。
【０００８】
ここで、この発明の日除けカバーは、所定の模様を有することができるものである。
【０００９】
ここで、この発明の日除けカバーにおいて、前記筐体は内装する機器の状態を表示する表示部を外面に有しており、該表示部は前記筐体の開口部を介して保守確認可能であるものである。
【００１０】
【発明の実施の形態】
以下、図面を参照して、本発明の実施の形態を詳細に説明する。
【００１１】
実施の形態１.
図１は、本実施の形態１における日除けカバーの斜視図を示す。図１において、符号１０は四面を一体化した日除けカバー、１１は日除けカバー１０の天面部、１２は日除けカバー１０の左側面部、１３は日除けカバー１０の正面部、１５は日除けカバー１０の左側面部１２に開口された開口穴（開口部）、１７は開口穴１５を塞ぎ開閉可能な開閉扉、１６は日除けカバー１０の天面部１１に設けられた通風孔であり、換気の必要に応じて複数個設けることができる。
【００１２】
図２は、本実施の形態１における日除けカバーの別の斜視図を示す。図２において、符号１は屋外装置、１４は日除けカバー１０の右側面部、２０は屋外装置１の外面に設けられた、屋外装置１の状態、例えば通信状態を表示する表示器（表示部）である。図２に示されるように、表示器２０を外部から保守確認できるようにするための開口穴１５と、開口穴１５を覆う開閉扉１７とが設けられている。開閉可能な開閉扉１７は、日除けカバー１０の左側面部１２の開口穴１５を覆い、日除けカバー１０の左側面部１２にネジ止めされている。したがって、開閉扉１７を例えば取り外す等して開けることにより、屋外装置１に通信状態の異常があった場合に、屋外装置１の内部の通信状態等を表示する表示器２０の表示を確認することができる。
【００１３】
上述の日除けカバー１０は、環境に合わせて屋外装置１に要求される色調に応じて、印刷または着色された板金等を用いることにより予め加工しておく。環境に合わせて所定の色調の屋外装置が要求された場合は、この所定の色調に合わせて加工され四面が一体となっている本実施の形態１の日除けカバーを屋外装置１を覆うように取付けることにより、屋外装置１に要求される環境に合わせた色調を得ることができる。屋外装置１の色調を変更する場合には、屋外装置１の全体を変更しようとする色調に塗装し直す必要はなく、日除けカバー１０のみを、変更しようとする色調で加工され四面が一体となっている本実施の形態１の日除けカバー１０へ変更すればよい。
【００１４】
さらに、屋外装置１が故障した場合は、故障した屋外装置１の色調と同じ色調を有する代品の屋外装置を入手する必要はなく、任意の色調の代品の屋外装置を入手して交換すればよい。屋外装置１を覆う四面が一体となっている日除けカバー１０の色調は元のままであるため、色調自体は同じだからである。
【００１５】
以上より、実施の形態１によれば、環境に合わせるように屋外装置に色調の変更が要求された場合は、その色調を有するように一体として日除けカバーを加工することにより、日除けカバーのみの変更により容易に色調の変更を行なうことができる。さらに屋外装置が故障した場合も、日除けカバーは元のままにしておき屋外装置を任意の色調の屋外装置へ交換できるため、故障に対しても即時に対応することができる。
【００１６】
実施の形態２.
上述の実施の形態１では、日除けカバー１０は要求された色調を有するように一体として加工されていたが、本実施の形態２においては、色調に加えまたは単独に模様を有するように一体として加工することができる。この結果、屋外装置１を設置する環境に応じて、さらに柔軟に日除けカバーの外装を対応させることができる。
【００１７】
以上より、実施の形態２によれば、日除けカバーをさらにまたは単独に模様を有するように加工することにより、屋外装置を設置する環境にさらに柔軟に日除けカバーを対応させることができる。
【００１８】
【発明の効果】
以上説明したように、本発明の日除けカバーによれば、屋外装置の外装の色調を環境に合わせて容易に変更できるとともに、屋外装置が故障した場合には、日除けカバーは従来の色調の日除けカバーをそのまま用い、屋外装置を任意の色調の屋外装置と交換することにより、故障時の対応を即時に行なえることができる日除けカバーを提供することができる。
【図面の簡単な説明】
【図１】  本発明の実施の形態１における日除けカバーの斜視図である。
【図２】  本発明の実施の形態１における日除けカバーの別の斜視図である。
【図３】  従来の、筐体を覆う日除けカバーの取り付け状態の正面図である。
【図４】  従来の、筐体を覆う日除けカバーの取り付け状態の左側面図である。
【符号の説明】
１  屋外装置、  4正面日除けカバー、  ５  天面日除けカバー、  ６  背面日除けカバー、  ７  開閉口部、  １０  日除けカバー、  １１  日除けカバー天面部、  １２  日除けカバー左側面部、  １３  日除けカバー正面部、  日除けカバー右側面部、  １５  開口穴、  １６  通風孔、  １７  開閉用扉、  ２０  表示器。
【図１】
0003814441.tif 000002
【図２】
0003814441.tif 000003
【図３】
0003814441.tif 000004
【図４】
0003814441.tif 000005